(57)【要約】【課題】冷気供給ダクトの送風装置取付部内部の左右側壁および底面と、羽根部とモータとを一体にした送風装置との接触面積を少なくすることにより、送風装置から冷気供給ダクト側に伝わる振動を抑え、騒音および共鳴音等の発生の抑制を図った電気冷蔵庫を提供する。【解決手段】第一冷気供給ダクト上方の断熱部に、第一送風装置２０を取り付ける取付部１４ｂを介して配置される前記第一送風装置２０と、前記取付部１４ｂとの構造について、外周に緩衝材２６を貼り付けた前記第一送風装置２０を前記取付部１４ｂに配置した時に、前記第一送風装置２０の上部（図Ａ）、左右側面のどちらか（図Ｂでは左）、またはこれらを組み合わせて（図Ｃまたは図Ｄ）、前記取付部１４ｂと前記第一送風装置２０との間に空隙を形成している。【選択図】  図３
2004278994.tif 000002
【特許請求の範囲】
【請求項１】
外箱と内箱間に断熱材を充填してなる断熱箱体の内部を断熱仕切体によって複数の貯蔵室に区画し、前記貯蔵室の後方に冷気供給ダクトを設け、同冷気供給ダクトと内箱との間に冷気を生成する蒸発器を設置した冷気生成室を設け、同冷気生成室で生成した冷気を強制循環する羽根部とモータとを一体にした送風装置を、前記冷気供給ダクトの前記送風装置を取り付ける取付部を介して配置し、同送風装置で送出された冷気は、複数の前記貯蔵室を循環し、前記冷気供給ダクトの前面を仕切る仕切りカバーの冷気戻り口を経て戻り冷気路から前記冷気生成室の下方に戻してなる電気冷蔵庫において、
前記送風装置を配置する前記取付部と、同取付部と対向する位置に緩衝材を貼り付けた前記送風装置との間に空隙を形成してなることを特徴とする電気冷蔵庫。
【請求項２】
前記送風装置と、同送風装置を配置する前記取付部との間の空隙を、前記送風装置の外周の上部、左右側面のどちらか、またはこれらを組み合わせて形成してなることを特徴とする請求項１記載の電気冷蔵庫。
【請求項３】
前記送風装置を配置する前記取付部の内側面を凹凸形状に形成してなることを特徴とする請求項１または２記載の電気冷蔵庫。
【請求項４】
前記送風装置を配置する前記取付部の内側面の左右、および底面に、各々内方へ突出する凸部を形成してなることを特徴とする請求項１または２記載の電気冷蔵庫。
【請求項５】
前記凸部の縦断面形状を、山型にしたことを特徴とする請求項３または４記載の電気冷蔵庫。
【請求項６】
前記送風装置を配置する前記取付部と接触面に貼り付ける緩衝材を、前記送風装置の外側面の左右、および底面に、各々外方へ突出する凸状に形成してなることを特徴とする請求項１または２記載の電気冷蔵庫。
【発明の詳細な説明】
【０００１】
【発明の属する技術分野】
本発明は、電気冷蔵庫に係わり、より詳細には、蒸発器で生成した冷気を強制循環する羽根部とモータとを一体にした送風装置を、冷気供給ダクトに配置した時、冷蔵庫本体に伝達する送風装置の振動を軽減させ、振動による騒音を抑制する構造に関するものである。
【０００２】
【従来の技術】
従来の電気冷蔵庫においては、例えば図１および図２に示すように（例えば、特許文献１参照）、外箱２と内箱３と断熱材４とからなる断熱箱体１（冷蔵庫本体ともいう）の内部を複数の断熱仕切体５、６により上部の冷蔵室７と中央の野菜室８と下部の冷凍室９とに区画し、前記冷蔵室７後方には、前面を仕切る仕切りカバー１６ａと断熱部１４ａと羽根部とモータとを一体にした第一送風装置２０を取り付ける取付部１４ｂとからなる第一冷気供給ダクト１４を設け、同第一冷気供給ダクト１４は、前記取付部１４ｂに形成した取付穴１４ｅに前記第一送風装置２０を取り付け、同第一送風装置２０を取り付けた前記取付部１４ｂを、前記断熱部１４ａに組み込み、同断熱部１４ａの前面に仕切りカバー１６ａを嵌め込んだ構成となっている。
【０００３】
前記冷蔵室７後方に設けた前記第一冷気供給ダクト１４と内箱との間に前記冷蔵室７と前記野菜室８用の冷気を生成する蒸発器（冷却器）１３ａを設置した第一冷気生成室１３を設け、同第一冷気生成室１３で生成した冷気を強制循環する第一送風装置２０を前記第一冷気生成室１３上方の前記第一冷気供給ダクト１４の断熱部１４ａに、前記取付部１４ｂを介して配置し、同第一送風装置２０で送出された冷気は、前記冷蔵室７と前記野菜室８を循環し、前記第一冷気供給ダクト１４の前面を仕切る仕切りカバー１６ａの冷気戻り口１６ｂを経て戻り冷気路１６から前記第一冷気生成室１３の下方に戻るようにしている。
【０００４】
また、前記冷凍室９の後方に同冷凍室９専用の蒸発器２１ａを設置した第二冷気生成室２１と、冷気強制循環用の羽根部とモータとを一体にした第二送風装置２２を配置し、その前方に冷気吹出口等を有する前面カバー２３を設けた第二冷気供給ダクト１５を構成している。
【０００５】
図７は従来例を示す電気冷蔵庫の要部拡大斜視図であるが、前記第一冷気供給ダクト１４上方の断熱部１４ａに、前記第一送風装置２０を取り付ける取付部１４ｂを介して配置される前記第一送風装置２０と、前記取付部１４ｂとの構造については、前記取付部１４ｂの内部の左右側壁および底面は、各々平らであり、また、前記第一送風装置２０の外周面も各々平らで、前記取付部１４ｂと前記第一送風装置２０との間に緩衝材２６を挟んで面接触させていた。
【０００６】
しかしながら、上記構成では前記第一送風装置２０が前記断熱部１４ａの取付部１４ｂを介して前記第一冷気供給ダクト１４に配設されているため、前記第一送風装置２０の振動は、前記取付部１４ｂと前記第一送風装置２０との接触面が多く、前記緩衝材２６のみでは吸収できず、前記取付部１４ｂ内部の左右側壁および底面から前記第一冷気供給ダクト１４に伝わり、騒音および共鳴音等の発生の要因となる恐れのある問題を有していた。
【０００７】
【特許文献１】
特開２００２−９８４６１号公報（第５ー７頁、第１図）
【０００８】
【発明が解決しようとする課題】
本発明においては、上記の問題に鑑み、冷気供給ダクトの送風装置取付部の内部の左右側壁および底面と、羽根部とモータとを一体にした送風装置との接触面積を少なくすることにより、送風装置から冷気供給ダクト側に伝わる振動を抑え、騒音および共鳴音等の発生の抑制を図った電気冷蔵庫を提供することを目的としている。
【０００９】
【課題を解決するための手段】
本発明は、上記問題点を解決するため、外箱と内箱間に断熱材を充填してなる断熱箱体の内部を断熱仕切体によって複数の貯蔵室に区画し、前記貯蔵室の後方に冷気供給ダクトを設け、同冷気供給ダクトと内箱との間に冷気を生成する蒸発器を設置した冷気生成室を設け、同冷気生成室で生成した冷気を強制循環する羽根部とモータとを一体にした送風装置を、前記冷気供給ダクトの前記送風装置を取り付ける取付部を介して配置し、同送風装置で送出された冷気は、複数の前記貯蔵室を循環し、前記冷気供給ダクトの前面を仕切る仕切りカバーの冷気戻り口を経て戻り冷気路から前記冷気生成室の下方に戻してなる電気冷蔵庫において、前記送風装置を配置する前記取付部と、同取付部と対向する位置に緩衝材を貼り付けた前記送風装置との間に空隙を形成した構成となっている。
【００１０】
前記送風装置と、同送風装置を配置する前記取付部との間の空隙を、前記送風装置の外周の上部、左右側面のどちらか、またはこれらを組み合わせて形成した構成となっている。
【００１１】
前記送風装置を配置する前記取付部の内側面を凹凸形状に形成した構成となっている。
【００１２】
前記送風装置を配置する前記取付部の内側面の左右、および底面に、各々内方へ突出する凸部を形成した構成となっている。
【００１３】
前記凸部の縦断面形状を、山型にした構成となっている。
【００１４】
前記送風装置を配置する前記取付部と接触面に貼り付ける緩衝材を、前記送風装置の外側面の左右、および底面に、各々外方へ突出する凸状に形成した構成となっている。
【００１５】
【発明の実施の形態】
以下、本発明の実施の形態を実施例に基づき、添付図面を参照して説明する。図１は本発明に係わる電気冷蔵庫の概略構成を示す側断面図であり、図２は本発明の電気冷蔵庫を説明する要部斜視図であり、図３〜図６はそれぞれ本発明による電気冷蔵庫の実施例を示す要部拡大斜視図である。
ここで、従来例と同じ部分の符号は、同一とする。
【００１６】
図１および図２で示すように、１は鋼板製の外箱２と、合成樹脂製の内箱３と、発泡断熱材４等からなる断熱箱体（冷蔵庫本体ともいう）で、その内部は断熱仕切体５、６によって、上部の冷蔵室７と、中央の野菜室８と、下部の冷凍室９とに区画形成されている。
【００１７】
前記冷蔵室７後方には、前面を仕切る仕切りカバー１６ａと断熱部１４ａと羽根部とモータとを一体にした第一送風装置２０を取り付ける取付部１４ｂとからなる第一冷気供給ダクト１４を設け、同第一冷気供給ダクト１４は、前記取付部１４ｂに形成した取付穴１４ｅに前記第一送風装置２０を取り付け、同第一送風装置２０を取り付けた前記取付部１４ｂを、前記断熱部１４ａに組み込み、同断熱部１４ａの前面に仕切りカバー１６ａを嵌め込んだ構成となっている。
【００１８】
前記冷蔵室７後方に設けた前記第一冷気供給ダクト１４と内箱との間に前記冷蔵室７と前記野菜室８用の冷気を生成する蒸発器（冷却器）１３ａを設置した第一冷気生成室１３を設け、同第一冷気生成室１３で生成した冷気を強制循環する第一送風装置２０を前記第一冷気生成室１３上方の前記第一冷気供給ダクト１４の断熱部１４ａに、前記取付部１４ｂを介して配置し、同第一送風装置２０で送出された冷気は、前記冷蔵室７と前記野菜室８を循環し、前記第一冷気供給ダクト１４の前面を仕切る仕切りカバー１６ａの冷気戻り口１６ｂを経て戻り冷気路１６から前記第一冷気生成室１３の下方に戻るようにしている。
【００１９】
その一方、前記内箱３の天井に、少なくとも前方左右方向に冷気吹出口１７を有する天井カバー１９を被せ、前記内箱３と前記天井カバー１９および前記冷蔵室７内背面の前記第一冷気供給ダクト１４と連通する冷気通路１８を形成し、前記冷蔵室７に満遍なく冷気を供給するようにしたものがある。
【００２０】
前記冷蔵室７内に、上下方向に間隔をあけて、食品等を載置する複数の棚板２５が備えられている。また、前記冷蔵室７の開口面に、同冷蔵室７を密閉する開閉扉１０を配設している。
【００２１】
また、前記冷凍室９の後方に同冷凍室９専用の蒸発器２１ａを設置した第二冷気生成室２１と、冷気強制循環用の羽根部とモータとを一体にした第二送風装置２２を配置し、その前方に冷気吹出口等を有する前面カバー２３を設けた第二冷気供給ダクト１５を構成している。なお、符号２４は圧縮機、１１は野菜室８の扉、１２は冷凍室９の扉である。
【００２２】
図３は本発明による電気冷蔵庫の第１の実施例を示す要部拡大斜視図であり、本発明は前記第一冷気供給ダクト１４上方の断熱部１４ａに、前記第一送風装置２０を取り付ける取付部１４ｂを介して配置される前記第一送風装置２０と、前記取付部１４ｂとの構造についてであり、外周に緩衝材２６を貼り付けた前記第一送風装置２０を前記取付部１４ｂに配置した時に、前記第一送風装置２０の上部（図Ａ）、左右側面のどちらか（図Ｂでは左）、またはこれらを組み合わせて（図Ｃまたは図Ｄ）、前記取付部１４ｂと前記第一送風装置２０との間に空隙を形成している。
【００２３】
前記第一送風装置２０と、同第一送風装置２０を配置する前記取付部１４ｂとの間に空隙を設けることにより、前記第一送風装置２０の振動が前記第一冷気供給ダクト１４に伝達するのを抑制し、振動と騒音を低減させることができる。なお、実施例では前記第一送風装置２０の外周に緩衝材２６を貼り付けているが、前記取付部１４ｂとの接触面のみに緩衝材２６を貼り付けても同様な効果が得られる。
【００２４】
図４は本発明による電気冷蔵庫の第２の実施例を示す要部拡大斜視図であり、前記第一送風装置２０を配置する前記取付部１４ｂの内側面１４ｃを平型（図Ａ）、波形型（図Ｂ）または三角型（図Ｃ）等の凹凸形状に形成し、前記第一送風装置２０と前記取付部１４ｂの内側面１４ｃとを多点接触とし、前記第一送風装置２０の振動が前記第一冷気供給ダクト１４に伝達するのを抑制し、振動と騒音を低減させている。
【００２５】
また、図５は本発明による電気冷蔵庫の第３の実施例を示す要部拡大斜視図であり、前記第一送風装置２０を配置する前記取付部１４ｂの内側面１４ｃの左右、および底面に、各々内方へ突出する凸部１４ｄの縦断面形状を、平型（図Ａ）、半円型（図Ｂ）または三角型（図Ｃ）に形成し、前記第一送風装置２０と前記取付部１４ｂの内側面１４ｃとの接点を各辺１点とし、より接触面積を減らし、前記第一送風装置２０の振動が前記第一冷気供給ダクト１４に伝達するのを抑制し、振動と騒音を低減させている。
【００２６】
また、図６は本発明による電気冷蔵庫の第４の実施例を示す要部拡大斜視図であり、前記第一送風装置２０を配置する前記取付部１４ｂとの接触面に貼り付ける緩衝材２６を、前記第一送風装置２０の外側面２０ｃの左右、および底面に、各々外方へ突出する凸状に形成しており、前記第一送風装置２０と前記取付部１４ｂの内側面１４ｃとの接触を前記緩衝材２６で各辺１点としたことにより、より前記第一送風装置２０の振動が前記第一冷気供給ダクト１４に伝達するのを抑制し、振動と騒音を低減させている。
【００２７】
そして、上記第２乃至４の実施例においても、第１の実施例の前記第一送風装置２０と、同第一送風装置２０を配置する前記取付部１４ｂとの間の空隙を、前記第一送風装置２０の上部、左右側面のどちらか、またはこれらを組み合わせるようにすれば、より振動を抑制する効果が得られる。
【００２８】
また、実施例では、前記第一送風装置２０に前記緩衝材２６を貼り付け、前記取付部１４ｂに配置するように構成しているが、前記緩衝材２６を前記取付部１４ｂの内側面１４ｃに貼り付けるようにしても良く、更に、前記取付部１４ｂの内側面１４ｃに凹凸等の形状を設けるのではなく、前記第一送風装置２０の外側面に凹凸等の形状を設けるようにしても良く、上記実施例と同様な効果を得ることができる。
【００２９】
なお、上記実施例では、前記冷蔵室７後方の前記第一冷気供給ダクト１４と、その上方に配置される冷気強制循環用の前記第一送風装置２０との構成について説明したが、前記第一冷気供給ダクト１４の下方に配置される冷気強制循環用の前記第一送風装置２０の場合の取付についても、前記第一送風装置２０の配置が前記第一冷気生成室１３の上方か下方かの違いであって、前記第一送風装置２０の取付方法は同様であるので説明は省略する。（図示せず）また、前記冷凍室の後方の前記第二冷気供給ダクト１５と、その前方に配置される冷気強制循環用の前記第二送風装置２２との構成についても、一体型送風装置を取付枠内に配置する場合は同様である。（図示せず）
【００３０】
【発明の効果】
以上のように本発明によると、冷気供給ダクトの送風装置取付部の内部の左右側壁および底面と、羽根部とモータとを一体にした送風装置との接触面積を少なくすることにより、送風装置から冷気供給ダクト側に伝わる振動を抑え、騒音および共鳴音等の発生の抑制を図った電気冷蔵庫となる。
【図面の簡単な説明】
【図１】本発明及び従来例の電気冷蔵庫の概略構成を示す側断面図である。
【図２】本発明及び従来例の電気冷蔵庫を説明する要部斜視図である。
【図３】本発明による電気冷蔵庫の第１の実施例を示す要部拡大斜視図（Ａ）乃至（Ｄ）である。
【図４】本発明による電気冷蔵庫の第２の実施例を示す凸部形状が異なる要部拡大斜視図（Ａ）乃至（Ｃ）である。
【図５】本発明による電気冷蔵庫の第３の実施例を示す凸部形状が異なる要部拡大斜視図（Ａ）乃至（Ｃ）である。
【図６】本発明による電気冷蔵庫の第４の実施例を示す要部拡大斜視図である。
【図７】従来例を示す電気冷蔵庫の要部拡大斜視図である。
【符号の説明】
１  断熱箱体（冷蔵庫本体）
２  外箱
３  内箱
４  断熱材
５、６  断熱仕切体
７  冷蔵室
８  野菜室
９  冷凍室
１０  冷蔵室扉
１１  野菜室扉
１２  冷凍室扉
１３  第一冷気生成室
１３ａ  蒸発器
１４  第一冷気供給ダクト
１５  第二冷気供給ダクト
１６  戻り冷気路
１６ａ  カバー
１６ｂ  冷気戻り口
１７  冷気吹出口
１８  冷気通路
１９  天井カバー
２０  第一送風装置
２１  第二冷気生成室
２１ａ  蒸発器
２２  第二送風装置
２３  前面カバー
２４  圧縮機
２５  棚板
２６  緩衝材
【図１】
2004278994.tif 000003
【図２】
2004278994.tif 000004
【図３】
2004278994.tif 000005
【図４】
2004278994.tif 000006
【図５】
2004278994.tif 000007
【図６】
2004278994.tif 000008
【図７】
2004278994.tif 000009